(57)【要約】【課題】一つのフレームを用いて、異種の形状のプランターとして利用することができるプランターを提供すること。【解決手段】上方に開口部を有し、有底の透水性シート材で形成される袋体からなり、内部に培地を収容して植物を育成する植物育成袋２と、植物育成袋２を支持するフレーム３とからなるプランター１において、フレーム３は、細幅の板状体又は柱状体を直方体の各辺を形成するよう組み合わせられたものからなり、直方体の各面が開口とされ、いずれかの一面を底部、前記底部と対向する面がプランター開口部とされ、プランター開口部には植物育成袋２を支持する支持部が設けられ、植物育成袋２の開口端部には支持部に固定される取付部が形成され、支持部に取付部が固定されることによりフレーム３に植物育成袋２が支持され、直方体のいずれの一面も底部として使用することができるようになされていることを特徴とする。【選択図】図１
0003168210.tif 000002
【実用新案登録請求の範囲】
【請求項１】
上方に開口部を有し、有底の透水性シート材で形成される袋体からなり、内部に培地を収容して植物を育成する植物育成袋と、
前記植物育成袋を支持するフレームとからなるプランターにおいて、
前記フレームは、細幅の板状体又は柱状体を直方体の各辺を形成するよう組み合わせられたものからなり、前記直方体の各面が開口とされ、いずれかの一面を底部、前記底部と対向する面がプランター開口部とされ、
前記プランター開口部には前記植物育成袋を支持する支持部が設けられ、前記植物育成袋の開口端部には前記支持部に固定される取付部が形成され、前記支持部に前記取付部が固定されることにより前記フレームに前記植物育成袋が支持され、前記直方体のいずれの一面も前記底部として使用することができるようになされていることを特徴とするプランター。
【請求項２】
前記プランター開口部には前記支持部が着脱可能に形成されていることを特徴とする請求項１に記載のプランター。
【請求項３】
前記支持部は前記フレーム開口部に所定の間隔及び所定の高さで切り欠かれた複数の凸部からなり、前記取付部は前記植物育成袋の開口端部を折り返し、前記凸部を収容できる幅で折り返し部を前記植物育成袋に固定されることにより形成されており、前記支持部に前記取付部をかぶせることにより前記フレームに前記植物育成袋が支持され、前記取付部の高さが前記凸部の高さよりも低くされていることを特徴とする請求項１に記載のプランター。
【請求項４】
前記フレームには、前記植物育成袋の下部に排水板が斜めに取り付けられていることを特徴とする請求項１に記載のプランター。
【考案の詳細な説明】
【技術分野】
【０００１】
本考案は、プランターに関し、特に、一つのフレームを用いて、異種の形状のプランターとして利用することができるプランターに関する。
【背景技術】
【０００２】
従来、各種の植木、花卉等の観賞用植物を育てる容器として、植木鉢やプランターが使用されており、この植木鉢等は、育成する植物に応じて様々な形状、大きさのものが市販されている。植木鉢あるいはプランターのうち、植木鉢は陶磁器のものやプラスチック製のものがあり、さらには近年通気性を有する織物やシートによって形成されたプランターも知られている。また、これらの植木鉢或いはプランターとは異なるものであるが、果実野菜、葉物野菜、花卉あるいは根菜類などを育成及び栽培するものとして高設栽培装置が知られている（例えば、下記特許文献１〜３参照）。
【０００３】
例えば、下記特許文献１には、「プランター及び農業用ベッド」の考案が記載されている。この農業用ベッドは、不動部に立設した支柱部材により所定高さで略水平に配設したパイプ部材と、これらのパイプ部材間に中央部が垂れ下がるようにして取付けた栽培床とを備え、この栽培床を栽培植物の根の通過を阻止し得る大きさの孔隙を設けた透水性の内側シートと、この内側シートの外方で内側シートに対して所定間隔で配設した不透水性の外側シートとからなる二重シート材で構成したものである。この農業用ベッドは、また、一方のパイプ部材に巻取り装置を連結して、この巻取り装置により栽培床の高さを調節できるようになっている。
【０００４】
また、下記特許文献２には、「織物製プランター及びこれを製造する袋状織物」の発明が記載されている。このプランターは通気性を有する織物を用いて形成された有底袋状体を有し、有底袋状体はその上端側の部分の剛性が高められており、剛性が高められた部分に持ち手の端部分が取着されている。また、有底袋状体の外側には、支柱を保持する支柱保持部が設けられている。
【０００５】
また、下記特許文献３には、上方に開口部を有し有底の可撓性シート材からなり内部に培地Ｇを詰めて植物を育成する植物育成袋であって、上方に開口部を有し有底で培地を収容する透水性シート材からなる内袋と、内袋の開口部を除き、底部との間に所定の隙間をあけて外周囲を不透水性シート材で覆った外袋とを有し、開口部に支持棒が装着される取付け部が形成されている植物育成袋と、この植物育成袋が懸架される支持スタンドであって、植物育成袋の取付け部に装着される支持具と、支持具を所定の高さで保持する折畳み自在な支持フレームで構成された支持スタンドとからなる植物育成装置が記載されている。なお、この植物育成装置の発明は本件実用新案登録出願人の出願にかかるものである。
【先行技術文献】
【特許文献】
【０００６】
【特許文献１】実用新案登録第３１５８２５７号公報
【特許文献２】特開２００３−０１８９２１号公報
【特許文献３】特開２００８−０４８６４０号公報
【考案の概要】
【考案が解決しようとする課題】
【０００７】
陶磁器や素焼きの植木鉢は、作製工程が複雑で作製に時間がかかり、また重量が重く割れ易いといった欠点がある。これに対してプラスチック製の植木鉢及びプランターは、割れ難く、重量も軽いので扱いが容易であるが、その作製には金型及びこの金型を使用した射出成型設備等が必要になり、この金型及び射出成型設備は高価なものとなっている。このため、プラスチックを用いて種々の形状及びサイズの植木鉢あるいはプランターを作製しようとすると、これらの形状等に合わせた多種の金型が必要になり、これらは大量生産品には向いているものの、コストを考慮すると種々の形状のものを少量生産するには適していない。そのため、一般家庭において少量の異種の形状及びサイズの植木鉢あるいはプランターが要求されても、この要求に応じることが難しくなっている。また、これまでの植木鉢及びプランターは、所定の大きさを有していることから、使用しないときにはその保管スペースが必要となっている。
【０００８】
上記特許文献１に示されている「プランター及び農業用ベッド」は、培地を収容する長尺な容器及びこの長尺容器を支える架台で構成された大掛かりな装置であって、概ね専業農家向けの業務用のものである。このような長尺な容器に培地を詰めると重量が重くなり、さらに装置が大型であって、組み立てが容易でなく、また高価なものとなるため、一般家庭等においてはこのような装置を構築することは困難である。
【０００９】
一方、上記特許文献２に示されている織物製プランターは、織物からなる有底袋状体をプランターとして用いており、プラスチック製のプランターとは異なり、製造時に金型等を使用しないため、少量の異種の形状及びサイズのものを安価に生産することが可能である。さらに使用しないときには折りたたむことができるため、保管スペースも要さない。しかし、有底袋状体は上端部以外の部分の剛性が高められていないことから、使用時には外部からの衝撃により変形し、内部の土がこぼれ出てしまう可能性がある。
【００１０】
上記特許文献３に示されている植物育成装置は、一般家庭用で持ち運び及び保管が簡単で安値な植物育成装置であり、支持フレームにより植物育成袋が支持されていることから、外部からの衝撃に強いものとなっている。しかし、種々の形状及びサイズの植物育成装置を得るにはそれぞれの形状及びサイズに合わせた支持フレームを製造する必要があった。
【００１１】
本考案は上記のような従来技術に鑑みてなされたもので、本考案の目的は、一つのフレームを用いて、異種の形状のプランターとして利用できるプランターを提供することにある。
【課題を解決するための手段】
【００１２】
上記の課題を解決するため、本考案のプランターは、上方に開口部を有し、有底の透水性シート材で形成される袋体からなり、内部に培地を収容して植物を育成する植物育成袋と、前記植物育成袋を支持するフレームとからなるプランターにおいて、前記フレームは、細幅の板状体又は柱状体を直方体の各辺を形成するよう組み合わせられたものからなり、前記直方体の各面が開口とされ、いずれかの一面を底部、前記底部と対向する面がプランター開口部とされ、前記プランター開口部には前記植物育成袋を支持する支持部が設けられ、前記植物育成袋の開口端部には前記支持部に固定される取付部が形成され、前記支持部に前記取付部が固定されることにより前記フレームに前記植物育成袋が支持され、前記直方体のいずれの一面も前記底部として使用することができるようになされていることを特徴とする。
【００１３】
本考案のプランターによると、直方体の面積の異なるいずれの一面をも底部とすることができるため、１つのフレームを用いて異なる底面積および高さを有する最大３通りの形状のプランターを製造することができる。従って、異なる形状ごとに金型を用意しなくても、異種のプランターを製造することができる。また、フレームは細幅の板状体又は柱状体を組み合わせたものからなるため、従来のプランターよりも必要な材料が少なく、製造コストを抑えることができるとともに、軽量かつ小型にすることができる。さらに、大きさの異なるフレームにおいても同じ部品を流用することができるため、よりコストを抑えることが可能となる。さらに、植物育成袋はシート材を加工することにより簡単に作製することができるため、従来のプラスチック製の植木鉢及びプランター等のように金型及び金型を使用した製造設備が不要となり安価に作製できる。また、袋は不使用時に折畳むことができるので、保管スペースを小さくできる。
【００１４】
また、本考案のプランターにおいては、前記プランター開口部には前記支持部が着脱可能に形成されているものとすることができる。
【００１５】
本考案のプランターにおいては、フレームに支持部が着脱可能に形成されていることから、使用者が、直方体の任意の面を底部、底部と対向する面を開口部として選択することができ、一つのフレームを設置箇所や用途に合わせて最大３通りの形状のプランターとして使用することができる。
【００１６】
また、本考案のプランターにおいては、前記支持部は前記フレーム開口部に所定の間隔及び所定の高さで切り欠かれた複数の凸部からなり、前記取付部は前記植物育成袋の開口端部を折り返し、前記凸部を収容できる幅で折り返し部を前記植物育成袋に固定されることにより形成されており、前記支持部に前記取付部をかぶせることにより前記フレームに前記植物育成袋が支持され、前記取付部の高さが前記凸部の高さよりも低くされているものとすることができる。
【００１７】
本考案のプランターにおいては、複数の凸部からなるフレームの支持部に植物育成袋の取付部をかぶせることにより、簡単にフレームに植物育成袋を取り付けることができる。さらに、植物育成袋の取付部の高さが支持部の高さよりも低いため、培地を植物育成袋に入れた際に培地の重みで植物育成袋が真下方向に引っ張られるため、植物育成袋がフレームから外れにくくなる。
【００１８】
また、本考案のプランターにおいては、前記フレームには、前記植物育成袋の下部に排水板が斜めに取り付けられているものとすることができる。
【００１９】
本考案のプランターにおいては、植物育成袋の下部に排水板が斜めに取り付けられていることにより、植物育成袋を透過した水を受け止めることができ、プランターの周囲を過度に汚すことがない。さらに、排水板が斜めに取り付けられているため、排水の流れる方向を希望の方向にすることが容易である。
【図面の簡単な説明】
【００２０】
【図１】本考案の実施形態に係るプランターの斜視図である。
【図２】図１のプランターを構成するフレームの斜視図である。
【図３】図２のフレームを構成する上フレームの斜視図である。
【図４】図４Ａは図２のフレームを構成する下フレームの斜視図、図４Ｂは図４Ａの下フレームにおいて図４Ａとは異なる面を底面とした斜視図である。
【図５】図１のプランターを構成する植物育成袋の斜視図である。
【考案を実施するための形態】
【００２１】
以下、図面を参照して本考案の実施形態を説明する。但し、以下に示す実施形態は、本考案の技術思想を具体化するためのプランター用袋及びこのプランター用袋を使用したプランターを例示するものであって、本考案をこれらに特定することを意図するものではなく、実用新案登録請求の範囲に含まれるその他の実施形態のものにも等しく適応し得るものである。
【００２２】
本考案の実施形態に係るプランターの構造について、図１〜図５を用いて説明する。なお、図１は本考案の実施形態に係るプランターの斜視図、図２は図１のプランターを構成するフレームの斜視図、図３は図２のフレームを構成する上フレームの斜視図、図４Ａは図２のフレームを構成する下フレームの斜視図、図４Ｂは図４Ａの下フレームにおいて図４Ａとは異なる面を底面とした斜視図、図５は図１のプランターを構成する植物育成袋の斜視図である。
【００２３】
プランター１は、図１に示すように、所定量の土などの培地、水及び肥料等を収容できる植物育成袋２と、この植物育成袋２を支持するフレーム３及び植物育成袋２を透過した水を任意の方向へ排水する排水板４とを備えている。フレーム３は、さらに植物育成袋２を支持する上フレーム５と、上フレーム５を支持し、排水板４が取り付けられる下フレーム６を有している。
【００２４】
フレーム３を形成する上フレーム５及び下フレーム６は、それぞれ合成樹脂板を切断し、折り曲げ、溶接あるいはねじ止めなどで固定することにより形成される。なお、合成樹脂板の他、アルミニウム等の金属板や木材を使用して形成しても良い。上フレーム５は、図３に示すように、所定の厚さを有する合成樹脂板を四辺として形成される枠体７と、枠体７で囲まれた上フレーム開口部８と、上フレーム開口部８の周囲に、枠体７から延出し、植物育成袋２を支持する支持部９を有している。支持部９は、上フレームの上端を所定の高さ及び幅で切り欠いて櫛歯状に形成されており、凹部９ａと凸部９ｂとからなる。この凸部９ｂが植物育成袋２の袋状の取付部１９に収容され、植物育成袋２を支持する。
【００２５】
また、下フレーム６は、図４に示すように、本実施形態においては所定の幅及び厚さを有し、長さの異なる３種の板状体１０ａ、１０ｂ、１０ｃ各４本が９０°の角度で組み合わせられて直方体の枠状に形成されており、直方体の各面は開口１１ａ、１１ｂ、１１ｃとされている。板状体１０ａ、１０ｂ、１０ｃは所定の肉厚を有する柱状体でもよく、この場合は強度を高めることができる。また２本の板状体をあらかじめ組み合わせたＬ字状のものを用いることもでき、これにより部品点数を減らすことができる。本実施形態においては、３種の板状体１０ａ、１０ｂ、１０ｃはすべて異なる長さとなっており、直方体の対向する３組の面、すなわち開口１１ａ、１１ｂ、１１ｃの面積はそれぞれ異なっている。図２及び図４Ａに示すように、本実施形態では、もっとも面積の大きい開口１１ａの一面がプランター底部１２、底部１２と対向する面がプランター開口部１３とされている。プランター開口部１３を囲む４本の板状体１０ａ、１０ｂには上フレーム５が取り付けられている。また、底部に直交する、隣接した２本の板状体１０ｃには、図１及び図２に示すように、排水板支持部１４ａ、１４ｂが設けられており、排水板４は、この排水板支持部１４ａ、１４ｂと、プランター底部１２の一端を形成し、排水板支持部１４ａ、１４ｂからもっとも離れた一本の板状体１０ｂに斜めに固定される。
【００２６】
このように、フレーム３はすべて板状体又は柱状体から成形されるため、従来のプランターのような金型を必要とせず、また従来のプランターよりも必要な材料を少なくでき、製造コストを抑えることができる。さらに、フレーム３は上フレーム５と下フレーム６の２つの部品の組み合わせで作製されるため、従来のプランターよりも必要な材料が少なく、製造コストを抑えることができるとともに、軽量かつ小型にすることができる。また、形状や大きさの異なるプランターにおいても同じ部品を流用することができるため、さらにコストを抑えることが可能となる。
【００２７】
また、本実施形態においては、もっとも大きな開口１１ａをプランター底部１２とし、プランター底部１２に対向する開口１１ａをプランター開口部１３としたが、下フレーム開口１１ｂ、１１ｃをそれぞれプランターの底部とすることもできる。図４Ｂは、もっとも面積の小さい下フレーム開口１１ｃを底部とした状態を示す図である。この状態の下フレームに上フレーム及び植物育成袋を取り付けることにより、図１に示すプランターよりも底面積が小さく、高さが高いプランターを得ることができる。開口１１ｂを底部とした場合も同様であり、その場合には図４Ａと図４Ｂに示される下フレームを用いたプランターの中間の底面積及び高さを有するプランターとなる。このように、一つの枠を用いて、容量が等しく、底面積及び高さの異なる最大３つの形状のプランターを得ることができる。
【００２８】
上フレーム５は、下フレーム６のプランター開口部１３を囲む４本の板状体１０ａ、１０ｂに接着剤、ねじ等を用いて取り付けられる。プランターに収容される土などの培地を保持することができる強度を有するものであれば固定方法はどのようなものでもよいが、ねじ等、脱着可能な固定方法を用いると、使用者がフレーム３の分解及び組み立てを自身で行うことができ、使用場所に応じて異なる形状から最適な形状を選択して組み立て、プランターとして用いることができる。
【００２９】
排水板４は植物育成袋２の底部１８とほぼ同じか、それよりも大きく、かつ下フレーム６の内部に収容される大きさの矩形状の合成樹脂板又は金属板から形成されている。本実施形態においては、長辺と平行な複数の溝１５を有しており、この溝を伝わって、植物育成袋を透過した水が一方に排出される。なお、溝１５の方向はプランター１の設置場所に応じて変更されることができる。排水板４は、フレーム３が組み立てられた後、フレーム３の開口部等から内部に入れられて、下フレームを構成する板状体の２か所に設けられた排水板支持部１４ａ、１４ｂで支持され、一方の溝１５の終端をプランター底部１２またはプランターを戴置する床面に接するように斜めに配置される。このように植物育成袋２の下部に排水板４が斜めに取り付けられていることにより、植物育成袋２を透過した水を受け止めることができ、プランター１の周囲を過度に汚すことがない。さらに、排水板４が斜めに取り付けられているため、排水の流れる方向を希望の方向にすることが容易である。
【００３０】
植物育成袋２は、図５に示すように、袋開口部１７及び他方に袋底部１８を有し、所定量の培地を収容する袋体１６からなり、袋開口部１７の端部に上フレーム５に装着される取付部１９が形成されている。袋体１６は通気性及び通水性に優れた不織布などの透水性シート材を折り曲げ、端部を接着することにより形成される。本実施形態においては、透水性シート材として不織布が用いられているが、ポリエチレン、ポリ塩化ビニル、ポリプロピレン、ポリスチレン、ＡＢＳ樹脂、ＡＥＳ樹脂などの合成樹脂袋に小さな貫通孔を設けたもの、あるいは、布等を使用してもよい。
【００３１】
取付部１９は、袋体１６の開口端部を折り返し、所定間隔で縫い付けて支持部９の凸部９ｂを収容できる袋状に形成されている。このとき、取付部１９の高さ、すなわち開口端部を折り返す長さは、上フレーム５の凸部９ｂの高さより低くなっている。なお、本実施形態では取付部１９を形成するために開口端部を縫い付けているが、溶着、接着またはその他の手段により、凸部９ｂを収容できる袋状に形成しても良い。
【００３２】
プランター１の組み立ては、フレーム３に排水板４と植物育成袋２を取り付けることにより行われる。植物育成袋２をフレーム３に取り付ける際には、フレーム３の支持部９の凸部９ｂに、植物育成袋２の開口端部に設けられた袋状の取付部１９をそれぞれかぶせることにより植物育成袋２をフレーム３に固定する。ここで、組み立てられたプランター１の植物育成袋２の内部に培地が収容されると、培地の重さにより、植物育成袋２の取付部１９は下向きの力を受けることとなる。この下向きの力により、植物育成袋２はより強固にフレーム３に固定されることとなる。
【００３３】
なお、植物育成袋２をフレーム３に取り付けた状態では、取付部１９の高さ、すなわち開口端部を折り返す長さは、上フレーム５の支持部９の高さより低くなっているために支持部９の下端と取付部１９の下端の間に隙間ｈが形成される。この隙間ｈが形成されない、すなわち、取付部１９の高さが上フレーム５の支持部９の高さと等しいかそれよりも高い場合には、培地の重さによる下向きの力に加えて、取付部１９の縫い目２０にプランター内側への力がかかるため、取付部の縫い目２０の糸が切れたり、あるいは縫い目２０周辺の透水性シート材が破れるなど取付部１９が破損しやすくなる。このため、隙間ｈを形成することにより、取付部１９の強度を高めることができる。
【符号の説明】
【００３４】
１…プランター、２…植物育成袋、３…フレーム、４…排水板、５…上フレーム、６…下フレーム、７…枠体、８…上フレーム開口、９…支持部、１０ａ、１０ｂ、１０ｃ…板状体、１１ａ、１１ｂ、１１ｃ…開口、１３…プランター開口部、１４ａ、１４ｂ…排水板支持部、１５…溝、１６…袋体、１７…袋開口部、１８…底部、１９…取付部、２０…縫い目、ｈ…隙間
【図１】
0003168210.tif 000003
【図２】
0003168210.tif 000004
【図３】
0003168210.tif 000005
【図４】
0003168210.tif 000006
【図５】
0003168210.tif 000007